(57)【特許請求の範囲】
【請求項１】
電源電圧を分圧したバイアス電圧を生成するバイアス回路と、
前記バイアス電圧を受けるバッファ回路を有し、オン、オフが切りかえ可能に構成され、入力されたオーディオ信号を前記バッファ回路の出力電圧を基準として増幅する増幅回路と、
前記バイアス回路の出力端子と前記バッファ回路の入力端子との接続点と、前記増幅回路の出力端子の間に設けられた第１スイッチと、
前記第１スイッチのオン、オフ状態および前記増幅回路のオン、オフ状態を制御する制御部と、
を備えることを特徴とするオーディオ用増幅器。
【請求項２】
前記制御部は、
前記第１スイッチを、起動開始から所定の第１期間オンし、その後オフし、
前記増幅回路を起動開始から所定の第２期間オフし、その後、オンすることを特徴とする請求項１に記載のオーディオ用増幅器。
【請求項３】
前記増幅回路は、
その出力端子とその反転入力端子が接続された演算増幅器と、
その一端が前記オーディオ信号が入力される入力端子と接続され、その他端が前記バッファ回路の出力端子と接続され、前記オーディオ信号を前記バッファ回路の出力電圧を基準として減衰させる可変抵抗と、
を含むことを特徴とする請求項１または２に記載のオーディオ用増幅器。
【請求項４】
前記制御部は、前記増幅回路のバイアス電流の供給を起動開始から所定の第２期間、停止することにより前記増幅回路をオフし、その後、オンすることを特徴とする請求項１または２に記載のオーディオ用増幅器。
【請求項５】
前記増幅回路は演算増幅器を含み、前記演算増幅器はその出力段を構成するトランジスタと、前記トランジスタのゲートに接続されるゲートスイッチと、を含み、
前記ゲートスイッチのオン、オフ状態に応じて、前記増幅回路のオン、オフ状態が切りかえ可能に構成されることを特徴とする請求項１から３のいずれかに記載のオーディオ用増幅器。
【請求項６】
前記増幅回路は、
演算増幅器と、
前記演算増幅器の出力端子と直列に設けられた出力スイッチを含み、
前記出力スイッチのオン、オフ状態に応じて、前記増幅回路のオン、オフ状態が切りかえ可能に構成されることを特徴とする請求項１から３のいずれかに記載のオーディオ用増幅器。
【請求項７】
電源電圧を分圧し、バイアス電圧を生成するバイアス回路と、
入力されたオーディオ信号を前記バイアス電圧を基準として減衰させる可変抵抗と、
その非反転入力端子に前記可変抵抗の出力信号が入力された演算増幅器と、
前記バイアス回路の出力端子と本オーディオ用増幅器の出力端子の間に設けられた第１スイッチと、
前記演算増幅器の出力端子と本オーディオ用増幅器の出力端子の間に設けられた第２スイッチと、
その第１入力端子が前記演算増幅器の出力端子に接続され、その第２入力端子が本オーディオ用増幅器の出力端子に接続され、その出力端子が前記演算増幅器の反転入力端子に接続されたセレクタと、
前記第１、第２スイッチおよび前記セレクタを制御する制御部と、
を備えることを特徴とするオーディオ用増幅器。
【請求項８】
前記制御部は、
前記第１スイッチを、起動開始から所定の第１期間オンし、その後オフし、
前記第２スイッチを、起動開始から所定の第２期間オフし、その後オンし、
前記セレクタを、起動開始から所定の第３期間、前記第１入力端子側にオンし、その後第２入力端子側にオンすることを特徴とする請求項７に記載のオーディオ用増幅器。
【請求項９】
前記バイアス回路の出力端子を充電するチャージ回路をさらに備えることを特徴とする請求項１から８のいずれかに記載のオーディオ用増幅器。
【請求項１０】
オーディオ信号を増幅する請求項１から９のいずれかに記載のオーディオ用増幅器と、
前記オーディオ用増幅器の出力信号を出力する音声出力部と、
を備えることを特徴とする電子機器。
【発明の詳細な説明】
【技術分野】
【０００１】
本発明は、オーディオ信号を増幅する増幅器に関する。
【背景技術】
【０００２】
ＣＤプレイヤ、オーディオアンプ、カーステレオあるいは携帯型ラジオや携帯型のオーディオプレイヤをはじめとするオーディオ信号を再生する機能を備えた電子機器は、オーディオ信号を増幅する増幅器（以下、オーディオ用増幅器という）を備えるのが一般的である。オーディオ用増幅器としては、ＡＧＣ回路や電子ボリウム回路、あるいはスピーカの前段に設けられるパワーアンプ、あるいはボルテージフォロア形式の入力バッファ、出力バッファが例示される。
【０００３】
オーディオ信号は、増幅器によって増幅され、最終的にスピーカやヘッドホンから音声として出力される。オーディオ信号の振幅（レベル）は、増幅器の利得を制御し、あるいは減衰器の減衰率を制御することにより調節される。
【先行技術文献】
【特許文献】
【０００４】
【特許文献１】特開２００５−１１７４８９号公報
【特許文献２】特開２００５−２１７７１０号公報
【特許文献３】特開２００４−２２２０７７号公報
【特許文献４】特開２００５−２１７４９６号公報
【特許文献５】特開平１１−７５２８７号公報
【発明の概要】
【発明が解決しようとする課題】
【０００５】
オーディオ用増幅器は、あるバイアス電圧を基準としてオーディオ信号を増幅する。このバイアス電圧が接地電圧（０Ｖ）ではない場合、たとえば電源電圧Ｖｄｄの１／２に設定される場合、電源の投入時にノイズが発生する。図１は、電源投入時のオーディオ用増幅器の動作波形図である。なお、以降の波形図等において、縦軸および横軸は、理解を容易とするために適宜、拡大あるいは縮小されており、また示される各波形も、理解の容易のために適宜、簡略化されている。
【０００６】
電源の投入とともに、電源電圧Ｖｄｄは０Ｖから上昇していく。理想的には電源電圧Ｖｄｄを１／２倍したバイアス電圧Ｖｂｉａｓも、電源電圧Ｖｄｄとともに、０Ｖから連続的に上昇する。しかしながらオーディオ用増幅器は、演算増幅器を利用した反転増幅器もしくは非反転増幅器で構成されるところ、演算増幅器は電源電圧Ｖｄｄが０Ｖ付近の低電圧領域において正常に動作しない。したがってオーディオ用増幅器の出力電圧Ｖｏｕｔは、破線や一点鎖線で示すように理想的な波形からずれて不連続に変化する。この不連続がショック音（ポップノイズ）としてユーザの聴覚を刺激する。
【０００７】
本発明は係る課題に鑑みてなされたものであり、そのある態様の例示的な目的のひとつは、起動時のノイズの発生を抑制したオーディオ用増幅器の提供にある。
【課題を解決するための手段】
【０００８】
本発明のある態様はオーディオ用増幅器に関する。オーディオ用増幅器は、電源電圧を分圧し、バイアス電圧を生成するバイアス回路と、オン、オフが切りかえ可能に構成され、入力されたオーディオ信号をバイアス電圧を基準として増幅する増幅回路と、バイアス回路の出力端子と増幅回路の出力端子の間に設けられた第１スイッチと、第１スイッチのオン、オフ状態および増幅回路のオン、オフ状態を制御する制御部と、を備える。
【０００９】
「増幅回路がオンの状態」とは、その入力信号に対応した出力信号が生成される状態をいい、「増幅回路がオフの状態」とは、入力信号と出力信号が無関係となり、その出力がハイインピーダンスとなった状態をいう。
この態様によれば、起動時に第１スイッチをオンすることにより、オーディオ用増幅器の出力端子の電位は、増幅回路の動作とは無関係にバイアス電圧に従って上昇するため、ノイズを抑制できる。
【００１０】
本発明の別の態様もまた、オーディオ用増幅器である。このオーディオ用増幅器は、電源電圧を分圧し、バイアス電圧を生成するバイアス回路と、入力されたオーディオ信号をバイアス電圧を基準として減衰させる可変抵抗と、その非反転入力端子に可変抵抗の出力信号が入力された演算増幅器と、バイアス回路の出力端子と本オーディオ用増幅器の出力端子の間に設けられた第１スイッチと、演算増幅器の出力端子と本オーディオ用増幅器の出力端子の間に設けられた第２スイッチと、その第１入力端子が演算増幅器の出力端子に接続され、その第２入力端子が本オーディオ用増幅器の出力端子に接続され、その出力端子が演算増幅器の反転入力端子に接続されたセレクタと、第１、第２スイッチおよびセレクタを制御する制御部と、を備える。
【００１１】
この態様によっても、起動時に第１スイッチをオンすることにより、オーディオ用増幅器の出力端子の電位は、演算増幅器の動作とは無関係にバイアス電圧に従って上昇するため、ノイズを抑制できる。
【００１２】
本発明のさらに別の態様は、電子機器である。この電子機器は、オーディオ信号を増幅する上述のいずれかの態様のオーディオ用増幅器と、オーディオ用増幅器の出力信号を出力する音声出力部と、を備える。
この態様によると、電源の投入時に音声出力部から出力されるノイズが低減されるため、聴取者は、快適に音声を聴くことが可能となる。
【００１３】
なお、以上の構成要素の任意の組み合わせや本発明の構成要素や表現を、方法、装置、システムなどの間で相互に置換したものもまた、本発明の態様として有効である。
【発明の効果】
【００１４】
本発明に係るオーディオ用増幅器によれば、電源投入時のノイズを抑制できる。
【図面の簡単な説明】
【００１５】
【図１】一般的なオーディオ用増幅器の電源投入時の動作波形図である。
【図２】第１の実施の形態に係るオーディオ用増幅器を用いた電子機器の全体の構成を示すブロック図である。
【図３】図２のオーディオ用増幅器の動作を示すタイムチャートである。
【図４】第２の実施の形態に係るオーディオ用増幅器の構成を示す回路図である。
【図５】図２の演算増幅器の構成例を示す回路図である。
【発明を実施するための形態】
【００１６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１７】
本明細書において、「部材Ａが、部材Ｂと接続された状態」とは、部材Ａと部材Ｂが物理的に直接的に接続される場合のほか、部材Ａと部材Ｂが、電気的な接続状態に影響を及ぼさない他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００１８】
（第１の実施の形態）
図２は、第１の実施の形態に係るオーディオ用増幅器１００を用いた電子機器２の全体の構成を示すブロック図である。電子機器２は、オーディオ用アンプ、カーステレオや携帯型のオーディオプレイヤ、携帯電話端末など、音声を出力する手段を備える機器である。本実施の形態に係るオーディオ用増幅器１００は、かかる電子機器２に搭載される。たとえばオーディオ用増幅器１００はスピーカやイヤホンなどの電気音響変換素子やラインアウトから出力されるオーディオ信号の音量を調節するボリウム回路であってもよい。
【００１９】
電子機器２は、オーディオ用増幅器１００および音声出力部３を備える。図示しないオーディオ信号生成部は、ディスクメディアやメモリ、ハードディスクに記憶され、あるいは外部から有線・無線で入力された音声データを、アナログのオーディオ信号Ｓ１に変換する。
【００２０】
オーディオ用増幅器１００は、オーディオ信号Ｓ１を、あらかじめ設定された利得で増幅する。本明細書において、「増幅」は、利得が１より高い場合のみでなく、１より低い場合つまり減衰も含む。したがって本明細書における「利得（増幅率）」は減衰率を含み、「増幅器」は減衰器も含む概念である。
【００２１】
音声出力部３は、抵抗Ｒ５、ミュートトランジスタ８、パワーアンプ４、電気音響変換素子６を含む。電気音響変換素子６はヘッドホンやスピーカであってもよいし、あるいはそれに代えて、ラインアウトとして利用してもよい。抵抗Ｒ５は、オーディオ用増幅器１００の出力端子１０４とパワーアンプ４の入力端子の間に設けられる。パワーアンプ４は、オーディオ用増幅器１００からのレベルが調節されたオーディオ信号Ｓ２を増幅する。ミュートトランジスタ８は、オン状態においてパワーアンプ４の入力端子の電位を接地電圧（０Ｖ）に固定し、電気音響変換素子６からのノイズが出力されるのを防止する。抵抗Ｒ５やミュートトランジスタ８は省略することもできる。
【００２２】
続いて、オーディオ用増幅器１００の構成について詳細に説明する。オーディオ用増幅器１００の入力端子１０２には、信号経路に対して直列に設けられたカップリングキャパシタ（不図示）と入力抵抗（不図示）を介して、オーディオ信号Ｓ１が入力される。オーディオ用増幅器１００は、入力端子１０２に入力されたオーディオ信号Ｓ１を、設定された利得で増幅し、増幅後のオーディオ信号Ｓ２を、出力端子１０４から出力する。
【００２３】
オーディオ用増幅器１００は、バイアス回路１０、可変利得増幅器２０、第１スイッチ３０、チャージ回路４０、制御部５０を備える。
【００２４】
バイアス回路１０は、電源電圧Ｖｄｄを分圧し、バイアス電圧Ｖｂｉａｓを生成する。バイアス回路１０は、第１抵抗Ｒ１、第２抵抗Ｒ２およびキャパシタＣ１を含む。第１抵抗Ｒ１と第２抵抗Ｒ２の抵抗値は等しく、バイアス電圧Ｖｂｉａｓは電源電圧Ｖｄｄと接地電圧の中点電圧Ｖｄｄ／２である。キャパシタＣ１は、バイアス電圧Ｖｂｉａｓを安定化するとともに、電源電圧Ｖｄｄのノイズを除去するために設けられる。
【００２５】
可変利得増幅器２０は、入力されたオーディオ信号Ｓ１をバイアス電圧Ｖｂｉａｓを基準として増幅し、その振幅を変化させる。可変利得増幅器２０は、ラダー抵抗Ｒｄ１〜ＲｄＮ、スイッチＳＷ０〜ＳＷＮ、演算増幅器２２およびバッファ２４を含む。ラダー抵抗Ｒｄ１〜ＲｄＮおよびスイッチＳＷ０〜ＳＷＮは可変抵抗２６を形成する。ラダー抵抗Ｒｄ１〜ＲｄＮは直列に接続され抵抗ストリングを形成する。抵抗ストリングの一端にはオーディオ信号Ｓ１が印加され、その他端にはバッファ２４を介してバイアス電圧Ｖｂｉａｓが印加される。隣接する抵抗ＲｄｉとＲｄｉ＋１の接続点と可変抵抗２６の出力端子の間には、スイッチＳＷｉが設けられる。この可変抵抗２６は、オーディオ信号Ｓ１をバイアス電圧Ｖｂｉａｓを基準として減衰させる。
【００２６】
演算増幅器２２は、その出力端子と反転入力端子が接続されたボルテージフォロア（バッファ）である。演算増幅器２２の非反転入力端子には、可変抵抗２６の出力端子が接続される。
可変利得増幅器２０の利得は、スイッチＳＷ０がオンした状態が最大、スイッチＳＷＮがオンした状態が最小となる。
【００２７】
可変利得増幅器２０は、制御信号ＣＮＴ２に応じてオン、オフが切りかえ可能に構成される。可変利得増幅器２０のオフ状態は、演算増幅器２２のバイアス電流を遮断することで実現できる。あるいは演算増幅器２２のオフ状態は、その出力端子と直列にスイッチを設け、そのスイッチをオフすることによっても実現できる。
【００２８】
第１スイッチ３０は、バイアス回路１０の出力端子１２と可変利得増幅器２０の出力端子の間に設けられる。第１スイッチ３０のオン、オフ状態は、制御信号ＣＮＴ１に応じて切りかえられる。
【００２９】
制御部５０は、制御信号ＣＮＴ１、ＣＮＴ２を生成して演算増幅器２２および第１スイッチ３０の状態を制御する。
【００３０】
チャージ回路４０は、バイアス回路１０の出力端子１２に接続され、出力端子１２およびキャパシタＣ１を充電するために設けられる。たとえばチャージ回路４０は、トランジスタＱ１、第３抵抗Ｒ３、第４抵抗Ｒ４を含む。第３抵抗Ｒ３と第４抵抗Ｒ４は、電源端子と接地端子の間に直列に接続され、電源電圧Ｖｄｄを分圧する。Ｒ３＝Ｒ４のとき、Ｖｄｄ／２が生成される。トランジスタＱ１はＮＰＮ型バイポーラトランジスタであり、そのエミッタがバイアス回路１０の出力端子１２と接続され、そのベースには中点電圧Ｖｄｄ／２が入力されている。チャージ回路４０によって、バイアス回路１０の出力端子が
Ｖｄｄ／２−Ｖｂｅ
を目標値として急速に充電される。Ｖｂｅはバイポーラトランジスタのベースエミッタ間電圧であり０．７Ｖ程度である。
【００３１】
以上がオーディオ用増幅器１００の構成である。続いてその動作を説明する。図３は、図２のオーディオ用増幅器１００の動作を示すタイムチャートである。制御信号ＣＮＴ１のハイレベルは第１スイッチ３０のオンに対応し、ローレベルはオフに対応する。制御信号ＣＮＴ２のハイレベルは可変利得増幅器２０のオンに対応し、ローレベルはオフに対応する。
【００３２】
時刻ｔ０にユーザによって電源が投入され、起動が開始する。起動開始とほぼ同時に、制御信号ＣＮＴ１がハイレベル、制御信号ＣＮＴ２がローレベルとなり、第１スイッチ３０がオン、可変利得増幅器２０がオフする。また可変抵抗２６のスイッチＳＷＮがオン、その他のスイッチＳＷ０〜ＳＷＮ−１がオフされる。
【００３３】
時刻ｔ０以降、時間とともに電源電圧Ｖｄｄが上昇していく。電源電圧Ｖｄｄを分圧したバイアス電圧Ｖｂｉａｓも、電源電圧Ｖｄｄに追従して上昇していく。このとき、オーディオ用増幅器１００の出力端子１０４は第１スイッチ３０を介してバイアス回路１０の出力端子と接続されるため、オーディオ用増幅器１００の出力信号Ｓ２は、バイアス電圧Ｖｂｉａｓと一致して上昇していく。
【００３４】
起動開始から所定の第２期間τ２経過後（時刻ｔ１）に制御信号ＣＮＴ２がハイレベルに切りかえられ、可変利得増幅器２０がオンする。起動開始から所定の第１期間τ１経過後（時刻ｔ２）に制御信号ＣＮＴ１がローレベルに切りかえられ、第１スイッチ３０がオフする。第２期間τ２は、電源電圧Ｖｄｄが演算増幅器２２の最低動作電圧に達するのに要する時間より長く設定される。つまり時刻ｔ１以降は、演算増幅器２２がボルテージフォロアとして正常に動作する。
【００３５】
時刻ｔ１以降、スイッチＳＷＮがオンしているため、バイアス電圧Ｖｂｉａｓは演算増幅器２２の非反転入力端子に入力される。演算増幅器２２がボルテージフォロアとして動作することにより、オーディオ用増幅器１００の出力端子１０４の電位は、バイアス電圧Ｖｂｉａｓと一致するように安定化される。
【００３６】
もし可変利得増幅器２０の出力がハイインピーダンスとなり、同時に第１スイッチ３０がオフとなると、出力端子１０４がハイインピーダンス状態となりその電位が不定となり、ノイズが発生するおそれがある。そこで第１期間τ１は、第２期間τ２以上の長さに設定される。
【００３７】
以上がオーディオ用増幅器１００の動作である。
【００３８】
このように、図２のオーディオ用増幅器１００によれば、電源電圧Ｖｄｄが低く可変利得増幅器２０が正常動作しない領域においては、第１スイッチ３０によって出力端子１０４の電位Ｓ２をバイアス電圧Ｖｂｉａｓに追従させることができる。電源電圧Ｖｄｄが可変利得増幅器２０が正常動作する領域まで上昇した後は、第１スイッチ３０をオフし、可変利得増幅器２０をオンすることで、出力端子１０４の電位Ｓ２をバイアス電圧Ｖｂｉａｓに追従させることができる。
【００３９】
図３に示すように出力信号Ｓ２は緩やかに連続的に上昇するため、電気音響変換素子６から発生されるノイズをほとんどゼロにすることができる。
【００４０】
さらにチャージ回路４０によって以下の効果がもたらされる。時刻ｔ０〜ｔ１の間、ミュートトランジスタ８がオンしていると、キャパシタＣ１の電荷は、第１スイッチ３０、抵抗Ｒ５、ミュートトランジスタ８を介して放電される。抵抗Ｒ５の抵抗値が第１抵抗Ｒ１の抵抗値よりも小さい場合、抵抗Ｒ５および抵抗Ｒ２によるキャパシタＣ１の放電電流が、抵抗Ｒ１による充電電流を上回るため、バイアス電圧Ｖｂｉａｓが十分に上昇しなくなるおそれがある。この場合にチャージ回路４０を設けることにより、キャパシタＣ１を確実かつ急速に充電することができる。
【００４１】
（第２の実施の形態）
図４は、第２の実施の形態に係るオーディオ用増幅器１００ａの構成を示す回路図である。図４のオーディオ用増幅器１００ａは図２のオーディオ用増幅器１００と比べて可変利得増幅器２０ａの構成が異なっており、その他は同様に構成される。
【００４２】
図４の可変利得増幅器２０ａは、図２の可変利得増幅器２０に加えて、第２スイッチ２８、セレクタ２９を含む。第２スイッチ２８およびセレクタ２９は、可変利得増幅器２０ａのオン、オフ状態を切りかえるために設けられる。
【００４３】
第２スイッチ２８は、演算増幅器２２の出力端子とオーディオ用増幅器１００ａの出力端子１０４の間に設けられる。セレクタ２９の第１入力端子Ｐ１は、演算増幅器２２の出力端子に接続され、その第２入力端子Ｐ２はオーディオ用増幅器１００ａの出力端子１０４に接続され、その出力端子Ｐ３は演算増幅器２２の反転入力端子（−）に接続される。
【００４４】
制御部５０ａは、第１スイッチ３０、第２スイッチ２８およびバッファ２４、さらに可変抵抗２６を制御する。具体的に制御部５０ａは、第１スイッチ３０を起動開始から所定の第１期間τ１の間オンし、その後オフする。また第２スイッチ２８を、起動開始から所定の第２期間τ２の間オフし、その後オンする。またセレクタ２９を、起動開始から所定の第３期間τ３の間、第１入力端子Ｐ１側にオンし、その後第２入力端子Ｐ２側にオンする。第２スイッチ２８、セレクタ２９はそれぞれ、制御信号ＣＮＴ２ａ、ＣＮＴ２ｂに応じて制御される。
【００４５】
第２期間τ２と第３期間τ３は等しくてもよい。また第１期間τ１は、第１の実施の形態と同様に、第２期間τ２、第３期間τ３より長いことが好ましい。
【００４６】
図４のオーディオ用増幅器１００ａによれば、第２スイッチ２８およびセレクタ２９を制御することにより、可変利得増幅器２０ａのオン、オフを切りかえることができる。その結果、図２のオーディオ用増幅器１００と同様に、起動時のノイズを抑制することができる。
【００４７】
図５は、図２の演算増幅器２２の構成例を示す回路図である。演算増幅器２２は、トランジスタＭ１〜Ｍ８、バイアス電流源２３を含む。トランジスタＭ１〜Ｍ５は入力段を構成し、トランジスタＭ７、Ｍ８は出力段を構成する。トランジスタＭ１、Ｍ２は、ＮチャンネルＭＯＳＦＥＴであり、差動対を構成する。トランジスタＭ３、Ｍ４は、ＰチャンネルＭＯＳＦＥＴのカレントミラー回路であり、差動対に対する負荷として動作する。バイアス電流源２３は、バイアス電流Ｉｂｉａｓを生成する。トランジスタＭ６は、バイアス電流Ｉｂｉａｓの経路上に設けられる。トランジスタＭ５は、トランジスタＭ６とともにカレントミラー回路を形成し、バイアス電流Ｉｂｉａｓに応じたテイル電流Ｉｔを生成する。
【００４８】
トランジスタＭ８、Ｍ７は、電源ラインＶｄｄと接地ラインＧＮＤの間にスタックされる。トランジスタＭ７は、トランジスタＭ６とともにカレントミラー回路を形成し、バイアス電流Ｉｂｉａｓに応じた電流を生成する。
【００４９】
第１ゲートスイッチＳＷ２１は、トランジスタＭ７のゲートソース間に設けられる。第２ゲートスイッチＳＷ２２は、トランジスタＭ８のゲートソース間に設けられる。第１ゲートスイッチＳＷ２１、第２ゲートスイッチＳＷ２２は、制御信号ＣＮＴ２に応じて、オン、オフが制御される。第１ゲートスイッチＳＷ２１、第２ゲートスイッチＳＷ２２がオンすると、出力段Ｍ７、Ｍ８がオフし、可変利得増幅器２０の出力がハイインピーダンス状態となる。その結果、可変利得増幅器２０のオフ状態を実現できる。
あるいはバイアス電流源２３をオフし、バイアス電流Ｉｂｉａｓを停止することにより、演算増幅器２２をオフし、可変利得増幅器２０のオフ状態を実現してもよい。
【００５０】
なお、演算増幅器２２の構成は図５のそれに限定されず、別の構成であってもよい。
【００５１】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００５２】
２…電子機器、３…音声出力部、４…パワーアンプ、６…電気音響変換素子、８…ミュートトランジスタ、１０…バイアス回路、２０…可変利得増幅器、２２…演算増幅器、２４…バッファ、２６…可変抵抗、２８…第２スイッチ、２９…セレクタ、３０…第１スイッチ、４０…チャージ回路、５０…制御部、１００…オーディオ用増幅器、１０２…入力端子、１０４…出力端子、Ｒ１…第１抵抗、Ｒ２…第２抵抗、Ｒ３…第３抵抗、Ｒ４…第４抵抗。
【図１】
0005514036.tif 000002
【図２】
0005514036.tif 000003
【図３】
0005514036.tif 000004
【図４】
0005514036.tif 000005
【図５】
0005514036.tif 000006